(57)【要約】【課題】鳥インフルエンザウイルスの不活性化を行うマスクを提供することを目的とする。【解決手段】ウイルス不活性化マスクは、酸化亜鉛が溶解されたグルコン酸を不織布に含浸させてなる中間不織布層３を備える。中間不織布層３の表側に、外気と接触する外側不織布層２が設けられている。中間不織布層３の裏側に、鼻、口の肌面と接触する内側不織布層４が設けられている。酸化亜鉛として、直径５０ｎｍ〜７０ｎｍの酸化亜鉛ナノ粒子を用いる。本考案に係るマスクを顔部に着用すれば、外部から鼻孔、口腔内に進入するウイルスを効率よく死滅させることができた。【選択図】図２
0003148385.tif 000002
【実用新案登録請求の範囲】
【請求項１】
顔部に着用して、少なくとも鳥インフルエンザウイルスの不活性化を行うマスクであって、
酸化亜鉛および/又は有機酸が付着した不織布からなる中間不織布層と、
前記中間不織布層の表側に設けられ、外気と接触する外側不織布層と、
前記中間不織布層の裏側に設けられ、鼻、口の肌面と接触する内側不織布層とを備えたウイルス不活性化マスク。
【請求項２】
前記酸化亜鉛は、直径５０ｎｍ〜７０ｎｍの酸化亜鉛ナノ粒子を含む請求項１に記載のウイルス不活性化マスク。
【請求項３】
前記酸化亜鉛の付着量は、５ｇ/ｍ2〜１５ｇ/ｍ2である請求項１又は２に記載のウイルス不活性化マスク。
【請求項４】
酸化亜鉛が溶解された有機酸を前記不織布に含浸させて、前記酸化亜鉛を前記不織布に付着させている請求項１〜３のいずれか１項に記載のウイルス不活性化マスク。
【請求項５】
前記有機酸は、固形状態で３０，０００ｐｐｍ〜５０，０００ｐｐｍの前記酸化亜鉛を含む請求項１〜４のいずれか１項に記載のウイルス不活性化マスク。
【請求項６】
前記有機酸はグルコン酸を含む請求項１〜５のいずれか１項に記載のウイルス不活性化マスク。
【請求項７】
前記不織布は、３０ｇ/ｍ2〜５０ｇ/ｍ2のＰＥＴスパンボンド布を含む請求項１〜６のいずれか１項に記載のウイルス不活性化マスク。
【請求項８】
前記不織布は、３０ｇ/ｍ2〜５０ｇ/ｍ2の、レーヨン７０％とＰＥＴ３０％の混沙不織布を含む請求項１〜６のいずれか１項に記載のウイルス不活性化マスク。
【考案の詳細な説明】
【技術分野】
【０００１】
本考案は一般にウイルス不活性化マスクに関するものであり、より特定的には、少なくとも鳥インフルエンザウイルスの不活性化を行うことができるように改良されたウイルス不活性化マスクに関する。
【背景技術】
【０００２】
従来のマスクは、マスク基材である不織布の目を細かくするなど物理的に粒子の通過を防ぐだけのものであった。しかし、不織布の目を細かくするだけでは、鳥インフルエンザウイルス、猫、犬、ヒトのカリシウイルス、ノロウイルスが口から体内に入るのを防止することはできなかった。
【０００３】
抗菌性に注目した場合、超微粒子酸化亜鉛を優れた特性を有することが知られている。従来、抗菌・抗黴・防臭剤の大部分は有機系化合物であり、樹脂からのブリードアウトや効果の持続性の点で問題が指摘されることがあり、また人体や食品に接触するような場合は安全面で使いにくいものであった。
【０００４】
無機系抗菌剤としては、銀系抗菌剤が一般的に用いられているが、酸化による黒化、銀イオンの溶出の問題を抱えており、必ずしも万能でない。一方、超微粒子酸化亜鉛は無機化合物であるため、ブリードアウトの問題がなく、非着色性であり、また安定した効果を持続する。さらに、化粧品や消炎剤等に用いられていることからわかるように、人体に対して安全性が高いことも大きな特徴である。
【考案の開示】
【考案が解決しようとする課題】
【０００５】
しかしながら、超微粒子酸化亜鉛はクロカビ、白癬菌以外の黴に対して効果が小さいという欠点があるため、目的にあった使い方をする必要があるという課題があった。
【０００６】
本考案は、上記課題を解決するとともに、鳥インフルエンザウイルスの不活性化を行うことができるように改良されたウイルス不活性化マスクを提供することにある。
【課題を解決するための手段】
【０００７】
本考案に係るウイルス不活性化マスクは、顔部に着用して、少なくとも鳥インフルエンザウイルスの不活性化を行うマスクに係る。当該ウイルス不活性化マスクは、酸化亜鉛および/又は有機酸が付着した不織布からなる中間不織布層を備える。上記中間不織布層の表側に、外気と接触する外側不織布層が設けられている。上記中間不織布層の裏側に、鼻、口の肌面と接触する内側不織布層が設けられている。
【０００８】
外側不織布層を設けることにより、中間不織布層に付着した酸化亜鉛および/又は有機酸の外部への飛散が防止され、内側不織布層を設けることにより、中間不織布層に付着した酸化亜鉛および/又は有機酸が鼻、口への侵入を防止することができる。
【０００９】
本考案に係るウイルス不活性化マスクによれば、中間不織布層に酸化亜鉛および/又は有機酸が付着している。本考案にかかるマスクを顔部に着用すれば、外部から鼻孔、口腔内に進入するウイルスを効率よく死滅させることができた。その理由は、酸化亜鉛並びに有機酸の抗菌力により、鳥インフルエンザウイルスの細胞を破壊させ、これを不活性化させるからであると考えている。
【００１０】
上記酸化亜鉛は、直径５０ｎｍ〜７０ｎｍ（１ナノは１０億分の１）の酸化亜鉛ナノ粒子を含むのが好ましい。超微粒子の酸化亜鉛は有機酸に良く溶けることも利点である。金属イオンには、Ｈｇ＞Ａｇ＞Ｃｕ＞Ｚｎ＞Ｆｅ＞ＴｉＯ2の順で殺菌力があるといわれ、一般に銀系抗菌剤が用いられているが、酸化亜鉛を超微粒子にすることにより、銀に劣らない抗菌性を示すようになった。超微粒子の酸化亜鉛の抗菌メカニズムは銀イオンと同じと考えられ、金属の毒性、殺菌性によるものでなく、空気中あるいは水中の酸素の一部を活性酸素化し、ウイルスの細胞膜を破壊すると考えられる。ナノ粒子を使うことにより、比表面積が大きくなり、ウイルスの表面での接触が拡大されて、ウイルスの増殖が抑制されると考えられる。金属イオン粉は溶出が少なく、抑制効果維持性が高く安全であり、直接接触するウイルスに対しては、銀と同等の抗菌性を示す。なお、ウイルスの径は７５ｎｍである。
【００１１】
上記酸化亜鉛の付着量は、５ｇ/ｍ2〜１５ｇ/ｍ2であるのが好ましい。
【００１２】
酸化亜鉛が溶解された有機酸を上記不織布に含浸させて、上記酸化亜鉛および有機酸を上記不織布に付着させたものが好ましい。このようにすることにより、有機酸と酸化亜鉛の相乗効果により、抗菌力が一層高まる。
【００１３】
好ましくは、上記有機酸は、固形状態で３０，０００ｐｐｍ〜５０，０００ｐｐｍの上記酸化亜鉛を含む。この範囲の量を選ぶことにより、鳥インフルエンザウイルスの細胞を効率的よく破壊させることができる。
【００１４】
上記有機酸としてグルコン酸を用いるのが好ましい。
【００１５】
グルコン酸を水に溶かすと、次の［化１］に示すように、一部はグルコノラクトンになる。これを平衡という。グルコノラクトンとグルコン酸の割合は、温度、濃度、ｐＨなどによって変わる。酸性にすると水中の酸が多くなるので、グルコノラクトンの割合が多くなる。アルカリ性にするとグルコン酸は塩になって安定化するので、グルコノラクトンの割合は少なくなる。平衡とは２つの水槽をチューブで連結したようなもので、左側の水槽に水を入れると、バランスを保つために水はチューブを通って右側に流れる。
【化１】
0003148385.tif 000003
【００１６】
酸化亜鉛とグルコン酸を併用することによる相乗効果が生じることの説明について、タンパク質である鳥インフルエンザウイルスにグルコン酸が触れた場合を考える。［化２］に示すように、タンパク質には酸性のアミノ酸と塩基性のアミノ酸が含まれている。酸性のアミノ酸は、-COOHなどを持っており、マイナスイオンに(COO-)になる。塩基性のアミノ酸は、-NH2を持っていて、プラスイオン(-NH3+)になる。タンパク質中のプラスイオンが多かったり、マイナスイオンが多かったりするとタンパク質は水に溶けるが、マイナスとプラスのイオンが同じだけ（等電点という）だと、ちょうど中性になり電荷を持たないので水に溶けなくなる。ウイルスを等電点にすると、ウイルスは溶けなくなり、固まり死滅する。
【化２】
0003148385.tif 000004
【００１７】
本考案によれば、酸化亜鉛がグルコン酸と相乗的に働き、この等電点の調整をうまく行ない、鳥インフルエンザウイルスの細胞を破壊させ、これを不活性化させたものと考えられる。
【００１８】
上記不織布は、３０ｇ/ｍ2〜５０ｇ/ｍ2のＰＥＴ（ポリエチレンテレフタレート）スパンボンド布を含むのが好ましい。
【００１９】
また、上記不織布は、３０ｇ/ｍ2〜５０ｇ/ｍ2の、レーヨン７０％とＰＥＴ３０％の混沙不織布であってもよい。
【考案の効果】
【００２０】
本考案にかかるウイルス不活性化マスクを顔部に着用すれば、外部から鼻孔、口腔内に進入するウイルスを効率よく死滅させることができた。
【考案を実施するための最良の形態】
【００２１】
鳥インフルエンザウイルスの不活性化を行うことができるように改良されたマスクを得るという目的を、酸化亜鉛および/又は有機酸が付着した不織布からなる中間不織布層を含む少なくとも３層構造でマスクを構成するということによって実現した。以下、この考案の実施例を、図を用いて説明する。
【実施例１】
【００２２】
図１は、実施例に係るウイルス不活性化マスクの概念図である。図２は、マスクを構成するマスク基材の断面図である。これらの図を参照してマスク１は、酸化亜鉛が溶解された有機酸溶液を不織布に含浸させてなる中間不織布層３を備える。中間不織布層３の表側に、外気と接触する外側不織布層２が設けられている。中間不織布層３の裏側に、鼻、口の肌面と接触する内側不織布層４が設けられている。酸化亜鉛が溶解された有機酸溶液を含浸させる不織布は、３０ｇ/ｍ2〜５０ｇ/ｍ2のＰＥＴ（ポリエチレンテレフタレート）スパンボンド布又は３０ｇ/ｍ2〜５０ｇ/ｍ2の、レーヨン７０％とＰＥＴ３０％の混沙不織布である。酸化亜鉛の塗布量は、５ｇ/ｍ2〜１５ｇ/ｍ2である。有機酸にはグルコン酸を用いた。グルコン酸溶液は、４０〜５０重量％の水溶液で、固形状態で３０，０００ｐｐｍ〜５０，０００ｐｐｍの酸化亜鉛を含む。酸化亜鉛として、直径５０ｎｍ〜７０ｎｍの酸化亜鉛ナノ粒子を用いた。
【００２３】
本実施例にかかるマスクを顔部に着用すれば、外部から鼻孔、口腔内に進入するウイルスを効率よく死滅させることができた。ウイルス感染価（LOG EID50/0.1ml）は５．７５であった。
【実施例２】
【００２４】
実施例１では、酸化亜鉛が溶解された有機酸を不織布に含浸させてなる中間不織布層を用いたが、酸化亜鉛単独又は有機酸単独でも相当の効果を奏する。上記実施例において、グルコン酸の代わりに滅菌蒸留水を用い、これに酸化亜鉛ナノ粒子を分散させた溶液を中間不織布層に付着させて、後は実施例１と同じ条件でマスクを構成した場合、ウイルス感染価（LOG EID50/0.1ml）は７．２５であった。
【００２５】
また、上記実施例では、有機酸としてグルコン酸を例示したが、この考案はこれに限られるものでなく、酸化亜鉛と相乗して、タンパク質の膜を破壊するものはいずれも使用できる。
【００２６】
また、上記実施例では３層構造を例示したが、この考案はこれに限られるものでなく、４層構造であってもよいし、それ以上の多層構造でもよい。
【００２７】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２８】
本考案は、鳥インフルエンザウイルスの不活性化を行うマスクを与える。
【図面の簡単な説明】
【００２９】
【図１】実施例に係るウイルス不活性化マスクの概念図である。
【図２】ウイルス不活性化マスクの断面図である。
【符号の説明】
【００３０】
１ ウイルス不活性化マスク
２ 外側不織布層
３ 中間不織布層
４ 内側不織布層
【図１】
0003148385.tif 000005
【図２】
0003148385.tif 000006